(57)【要約】【課題】  従来のエレベータでは、エレベータ情報処理部と映像処理部どうしが分離されているため、動画のデータ量が多い場合には、映像処理部のみで動画を処理するしかなく、映像処理部の負荷が大きくなり、案内情報の表示時間のリアルタイム性を失っていた。【解決手段】  中継器２３は、案内配信装置２１から送信される案内情報データを受信し、データ量を検知するとともに、機械室２２に設けられた案内情報処理装置２４およびエレベータ情報処理装置２５に送信される。これにより、各処理装置の処理負荷を軽減し、案内情報のリアルタイム表示を実現することができる。【選択図】  図１
2006076740.tif 000002
【特許請求の範囲】
【請求項１】
映像・音声・文字情報の少なくとも１つの情報より成る案内情報信号を発信する案内情報発信部と、
前記案内情報信号を受信するとともに、前記案内情報信号のデータ量により、第１の案内情報信号と第２の案内情報信号に分配して送信する選択部と、
前記案内情報発信部と接続し、前記選択部にて分配された前記第１の案内情報信号を受信するとともに、第３の案内情報信号を発信する複数の案内情報処理部と、
エレベータの情報を表すエレベータ状態信号を発信するエレベータ情報発信部と、
前記選択部および前記エレベータ情報発信部と接続し、前記選択部にて分配された前記第２の案内情報信号および前記エレベータ状態信号を受信するとともに、前記第２の案内情報信号と前記エレベータ状態信号とを合成し、第４の案内情報信号を発信するエレベータ情報処理部と、
前記案内情報処理部と前記エレベータ情報処理部と接続し、前記第３の案内情報信号と前記第４の案内情報信号とを受信するとともに、前記第３の案内情報信号と前記第４の案内情報信号とを合成し、乗場表示情報信号を発信する複数の情報合成部と、
前記情報合成部と接続し、前記乗場表示情報信号を受信するとともに、前記乗場表示情報信号を表示する表示部と、
を具備することを特徴とするエレベータ情報表示システム。
【請求項２】
映像・音声・文字情報の少なくとも１つの情報より成る案内情報信号を発信する案内情報発信部と、
前記案内情報発信部と接続し、前記案内情報信号を受信する案内情報用ネットワーク部と、
前記案内情報用ネットワーク部と接続し、前記案内情報信号を受信するとともに、前記案内情報信号のデータ量により、第１の案内情報信号と第２の案内情報信号に分配して発信する選択部と、
前記案内情報発信部と接続し、前記選択部にて分配された前記第１の案内情報信号を受信するとともに、第３の案内情報信号を発信する複数の案内情報処理部と、
エレベータの情報を表すエレベータ状態信号を発信するエレベータ情報発信部と、
前記選択部および前記エレベータ情報発信部と接続し、前記選択部にて分配された前記第２の案内情報信号および前記エレベータ状態信号を受信するエレベータ情報用ネットワーク部と、
前記エレベータ情報用ネットワーク部と接続し、前記第２の案内情報信号および前記エレベータ状態信号とを受信するとともに、前記第２の案内情報信号と前記エレベータ状態信号とを合成し、第４の案内情報信号を発信するエレベータ情報処理部と、
前記案内情報処理部と前記エレベータ情報処理部と接続し、前記第３の案内情報信号と前記第４の案内情報信号とを受信するとともに、前記第３の案内情報信号と前記第４の案内情報信号とを合成し、乗場表示情報信号を発信する複数の情報合成部と、
前記情報合成部と接続し、前記乗場表示情報信号を受信するとともに、前記乗場表示情報信号を表示する表示部と、
を具備することを特徴とするエレベータ情報表示システム。
【請求項３】
前記案内情報用ネットワーク部及び前記エレベータ情報用ネットワーク部が、イーサネット（登録商標）であることを特徴とした請求項２記載のエレベータ情報表示システム。
【請求項４】
前記案内情報用ネットワーク部が、ビル内ネットワークと、ルータを介して接続されたことを特徴とする請求項２または請求項３記載のエレベータ情報表示システム。
【請求項５】
前記案内情報用ネットワーク部が、公衆回線と、モデムおよびルータを介して接続されたことを特徴とした請求項２乃至請求項４のいずれか１項に記載のエレベータ情報表示システム。
【発明の詳細な説明】
【技術分野】
【０００１】
本発明は、エレベータの情報表示システムに関するものである。
【背景技術】
【０００２】
近年、エレベータ情報と静止画や動画を含む案内情報を、エレベータのかご内および乗場にて設置された表示器に表示するエレベータ情報表示システムは、エレベータ情報および静止画を処理する処理部と、動画のみを処理する処理部とに分けて処理を行なっていた。従来この種のエレベータ情報表示システムは、一般に、図１０に示すような構成となっている(例えば、特許文献１参照)。
【０００３】
図１０に示すように、従来のエレベータ情報表示システムは、TVやVTRなどの映像信号源１、伝送部a２、イメージスキャナなどのグラフィック信号源３、情報処理部４、伝送部ｂ５、映像処理部６、エレベータ情報源７、エレベータ情報処理部８、合成部９、表示部１０、エレベータ機械室１１、エレベータかご１２、エレベータの昇降路１３、表示制御装置１４から構成されていた。
【０００４】
そして、映像信号源１、伝送部a２、グラフィック信号源３、情報処理部４、伝送部b５は、エレベータ機械室１１に配置され、映像処理部６、エレベータ情報源７、エレベータ情報処理部８、合成部９、表示部１０は、エレベータかご１２内に配置されていた。したがって、エレベータ機械室１１とエレベータかご１２間は、伝送部a２と映像処理部６、伝送部b５とエレベータ情報処理部８との間のケーブルにて、データの授受を行なっていた。
【０００５】
ここで、映像信号源１は、ビルの行事案内等を動画像として表示部１０に供給するため、輝度信号、搬送色信号、水平及び垂直同期信号、色同期信号を含んだコンポジットビデオ信号を、有線でエレベータかご１２内の映像処理部６に伝送する。そして、映像処理部６は、伝送されたコンポジットビデオ信号を入力し、信号をデジタル化して、表示部１０の１フレーム分に相当するデジタル表示データを生成し、格納する。
【０００６】
また、グラフィック信号源３は、静止画のデータを情報処理部４に出力し、情報処理部４は、入力したデータをデジタル化して、表示部１０の１フレームに相当する表示データを生成し、格納する。そして、格納しているデジタル化した表示データを同期して読み出し、伝送部b５へ出力する。伝送部ｂ５は入力した表示データを、有線でエレベータかご１２内のエレベータ情報処理部８へ伝送する。
【０００７】
エレベータ情報源７は、エレベータの位置情報や昇降情報等をエレベータかご１２から取得し、エレベータ情報処理部８に出力する。エレベータ情報源７から、エレベータの位置情報や昇降情報等を取得したエレベータ情報処理部８は、それに対応した階情報表示データを生成し、伝送部ｂ５から伝送される静止画データと、階情報表示データとを重ね合わせて、表示部１０の１フレーム分に相当する表示データを生成し、格納する。
【０００８】
そして、合成部９は、映像処理部６に格納しているデジタル化した映像表示データと、エレベータ情報処理部８に格納している静止画と階情報の合成表示データとを、優先度に応じて重ね合わせ、表示部１０に出力する。
【０００９】
最後に、表示部１０は、合成部９からの表示データを入力し、表示を行なっていた。
【特許文献１】特開平７−３３０２３２号公報(第３〜４頁、図１)
【発明の開示】
【発明が解決しようとする課題】
【００１０】
しかし、従来のエレベータ情報システムには、問題がある。
【００１１】
それは、エレベータ情報および静止画を処理するエレベータ情報処理部と、動画を処理する映像処理部が分離されていた構成となっている。
【００１２】
そのため、動画のデータ量が多い場合には、映像処理部のみで動画を処理するしかなく、映像処理部の負荷が大きくなり、案内情報の表示時間のリアルタイム性を失っていた。
【００１３】
本発明は、上記問題を解決するために設けられたもので、選択部にて受信した案内情報データのデータ量により、案内情報データを分配して各処理装置に送信することにより、処理負荷を軽減し、案内情報のリアルタイム表示を実現するエレベータ情報システムを提供することを目的とする。
【課題を解決するための手段】
【００１４】
上記目的を達成するために、本発明のエレベータ情報表示システムは、「映像・音声・文字情報の少なくとも１つの情報より成る案内情報信号を発信する案内情報発信部と、前記案内情報信号を受信するとともに、前記案内情報信号のデータ量により、第１の案内情報信号と第２の案内情報信号に分配して送信する選択部と、前記案内情報発信部と接続し、前記選択部にて分配された前記第１の案内情報信号を受信するとともに、第３の案内情報信号を発信する複数の案内情報処理部と、エレベータの情報を表すエレベータ状態信号を発信するエレベータ情報発信部と、前記選択部および前記エレベータ情報発信部と接続し、前記選択部にて分配された前記第２の案内情報信号および前記エレベータ状態信号を受信するとともに、前記第２の案内情報信号と前記エレベータ状態信号とを合成し、第４の案内情報信号を発信するエレベータ情報処理部と、前記案内情報処理部と前記エレベータ情報処理部と接続し、前記第３の案内情報信号と前記第４の案内情報信号とを受信するとともに、前記第３の案内情報信号と前記第４の案内情報信号とを合成し、乗場表示情報信号を発信する複数の情報合成部と、前記情報合成部と接続し、前記乗場表示情報信号を受信するとともに、前記乗場表示情報信号を表示する表示部と、を具備すること」を特徴としている。
【発明の効果】
【００１５】
本発明のエレベータ情報表示システムによれば、選択部にて受信した案内情報データのデータ量により、案内情報データを分配して各処理装置に送信することにより、各処理装置の処理負荷を軽減し、案内情報のリアルタイム表示を実現することができる。
【発明を実施するための最良の形態】
【００１６】
以下、図面を参照しながら本発明の実施の形態について説明する。
【実施例１】
【００１７】
以下、本発明の実施例１について、図１〜図５を参照して説明する。図１は、本発明の実施例１に係る機器構成を示すブロック図、図２は、本発明の実施例１に係る詳細ブロック図、図３は、本発明の実施例１に係るオーバーレイボードの画像合成の説明図、図４は、本発明の実施例１に係るエレベータ情報と表示内容の関係を表す説明図、図５は、本発明の実施例１に係るメッセージの表示時間を決定するためのパラメータを表す説明図である。
【００１８】
まず、本発明の実施例１に係るエレベータ表示システムの全体構成とデータの流れについて図１を参照して、説明する。
【００１９】
図１に示すように、案内配信装置２１(案内情報発信部)は、エレベータ監視室のように管理者や技術者が操作をできる場所に設置されており、映像・音声・文字情報を生成した後、デジタルデータとして機械室２２に設けられた中機器２３(選択部)に送信する。
【００２０】
中継器２３は、案内配信装置２１から送信される案内情報データを受信し、そのデータ量を検知するとともに、機械室２２に設けられた案内情報処理装置２４(案内情報処理部)及びエレベータ情報処理装置２５(エレベータ情報処理部)に送信される。
【００２１】
また、エレベータ情報処理装置２５は、エレベータ制御装置２６(エレベータ情報配信部)から送信されるエレベータ状態信号を受信する。さらに、エレベータ情報処理装置２５は、エレベータ状態信号をリアルタイム処理できる程度のデータ量閾値が設定されている。
【００２２】
このため、中継器２３は、具体的には、エレベータ情報処理装置２５に設定されているデータ量閾値範囲内のデータ量である案内情報データ(第２の案内情報信号)について、エレベータ情報処理装置２５に送信する。
【００２３】
そして、残りの案内情報データ(第１の案内情報信号)について、案内情報処理装置２４に送信する。
【００２４】
また、案内情報処理装置２４は、中継器２３から送信された映像・音声・文字情報より成るデジタルデータを受信し、アナログデータ(第３の案内情報信号)に変換して情報合成装置２７(情報合成部)に送信される。
【００２５】
さらに、エレベータ情報処理装置２５は、エレベータ状態信号を受信したのち、エレベータ状態を表す映像・音声・文字情報に変換する。また、エレベータ情報処理装置２５は、中継器２３から送信された案内情報データを受信したのち、アナログデータに変換する。そして、エレベータ状態を表す映像・音声・文字情報およびアナログデータ(第４の案内情報信号)は、エレベータ情報処理装置２５から情報合成装置２７に送信される。
【００２６】
情報合成装置２７は、案内情報処理装置２４から送信されるアナログデータと、エレベータ情報処理装置２５から送信されるエレベータ状態を表す映像・音声・文字情報およびアナログデータと、を合成してアナログデータ(乗場表示情報信号)として表示器２８(表示部)に出力する。
【００２７】
表示器２は、エレベータかご２９に設置され、映像・音声・文字情報を入力して表示する。
【００２８】
以上のように、本発明の実施例１に係るエレベータ表示システムは構成されている。
【００２９】
次に、本発明の実施例１に係るエレベータ表示システムの具体的な構成とデータの流れについて、図２を参照して説明する。
【００３０】
図２に示すように、案内配信装置２１は、ビデオ３１(案内情報発信部)と案内配信PC３２(案内情報発信部)とで構成される。
【００３１】
ここで、エレベータかご２２内に設置された表示器２９に表示させたい映像・音声情報は、ビデオ３１により再生し、映像・音声信号として出力して案内配信PC３２に入力される。
【００３２】
このとき、ビデオ３１から出力される映像信号は、コンポジットビデオ信号とし、音声信号は、２ｃｈのラインレベル信号とする。
【００３３】
案内配信PC３２は、ビデオ３１から出力された映像・音声信号を内蔵のビデオキャプチャボードにより取り込み、デジタルデータに変換する。
【００３４】
そして、デジタルデータに変換された映像・音声信号は、データ量を縮小するための圧縮処理を行なう。
【００３５】
ビデオ３１から入力した映像信号に文字を付加する場合は、案内配信PC３２のソフトにより文字情報を付加するように加工し、外部へ送信する。
【００３６】
また、中継器２３は、案内配信PC３２にて送信された案内情報データを受信し、２つの伝送路に送信する選択PC３３(選択部)により構成されている。
【００３７】
具体的には、選択PC３３は、案内配信PCにて送信された案内情報データのデータ量を検出し、エレベータ情報処理装置２５および案内情報処理装置２４に送信される。
【００３８】
ここで、案内情報処理装置２４は、選択PCから送信される案内情報データを受信する案内情報処理PC３４(案内情報処理部)、スキャンコンバータ３５a(案内情報処理部)、映像・音声分配器３６a(案内情報処理部)により構成されている。
【００３９】
案内情報処理PC３４は、選択PC３３にて送信された映像・音声・文字情報データを、受信可能であるネットワークカードおよびソフトウェアにて受信するとともに、伸長し、RGB信号として出力する。
【００４０】
スキャンコンバータ３５aは、案内情報処理PC３４から出力されたRGB信号をNTSCコンポジットビデオ信号に変換して出力する。
【００４１】
映像・音声分配器３６aは、スキャンコンバータ３５aから出力されたNTSCコンポジットビデオ信号を、画像信号と音声信号に分離するとともに、情報合成装置２７に送信する。
【００４２】
また、エレベータ情報処理装置２５は、エレベータ情報処理PC３７(エレベータ情報処理部)、スキャンコンバータ３５b(エレベータ情報処理部)、映像・音声分配器３６b(エレベータ情報処理部)により構成されている。
【００４３】
ここで、エレベータ情報処理PC３７では、エレベータ状態信号をリアルタイム処理できる程度のデータ量閾値が設定されている。
【００４４】
このため、選択PC３３からエレベータ情報処理PC３７に送信されるデータ量は、データ量閾値内のデータ量であり、エレベータ状態信号のリアルタイム処理を実現できる。
【００４５】
エレベータ情報制御装置２６は、エレベータ制御盤３８(エレベータ情報発信部)、信号変換装置３９(エレベータ情報発信部)により構成されている。
【００４６】
ここで、エレベータ制御盤３８は、エレベータの位置情報等のエレベータ状態信号を、信号変換装置３９へ出力する。
【００４７】
信号変換装置３９は、エレベータ制御盤３８から出力されるエレベータ状態信号を物理的に変換するだけでなく、信号変換後のデータを受信する装置が読み取り可能に、データの配置やエラー補正の方法などを変換する。
【００４８】
以上より、エレベータ情報処理PC３７は、エレベータ制御盤３８から送信されたエレベータ状態信号については、受信可能であるネットワークカードにて受信し、エレベータ情報処理PC３７内に備えたエレベータ状態と表示内容の関係が記録されたテーブルから入力されたエレベータ状態信号に合った映像・画像・文字情報を、RGB信号に変換し、複数配置された合成処理PC４０(情報合成部)に送信される。
【００４９】
また、エレベータ情報処理PC３７は、選択PC３３から送信された案内情報データについても、受信可能であるネットワークカードおよびソフトウェアにて受信するとともに、伸長し、RGB信号として出力する。
【００５０】
スキャンコンバータ３５bは、エレベータ情報処理PC３７から出力されたRGB信号をNTSCコンポジットビデオ信号に変換して出力する。
【００５１】
映像・音声分配器３６bは、スキャンコンバータ３５bから出力されたNTSCコンポジットビデオ信号を、画像信号と音声信号に分離するとともに、複数配置された合成処理PC４０に送信する。
【００５２】
情報合成装置２７は、合成処理PC４０と、オーバーレイボード４１(情報合成部)とによって構成されている。
【００５３】
合成処理PC４０は、エレベータ制御盤３８から送信されたエレベータ状態信号を受信し、合成処理PC４０内に備えたエレベータ状態と表示内容の関係が記録されたテーブルから入力されたエレベータ状態信号に合った映像・画像・文字情報をRGB信号に変換して出力する。
【００５４】
また、合成処理PC４０は、エレベータ情報処理PC３７内のスキャンコンバータ３５bから出力されたNTSCコンポジット信号を受信し、オーバーレイボード４１に送信する。
【００５５】
さらに、RGB信号に変換された映像・画像・文字情報であるメッセージ情報の表示時間について、メッセージ情報を表示する時間を決定するパラメータを設定するテーブルを参照することにより、メッセージ情報表示時間を決定し、メッセージ情報を表示する。
【００５６】
ここで、エレベータ状態と表示内容の関係が記録されたテーブルの具体例について、図４を参照して説明する。
【００５７】
図４に示すように、エレベータ状態と表示内容の関係が記録されたテーブルは、エレベータ状態を表す番号であるINDEX、エレベータの状態に合わせて表示するメッセージ、画像情報ファイル名の３つから構成されている。そして、合成PC４０内の読み書き可能なエリアに格納されている。
【００５８】
例えば、合成PC４０がエレベータ状態を表す番号として“１”を受信した場合、メッセージとして「次は１階に止まります。」を、画像ファイル名として“１FLOOR.BMP”をそれぞれ選択して合成した画像をRGB信号として出力する。
【００５９】
さらに、メッセージ情報を表示する時間を決定するパラメータを設定するテーブルの具体例について、図５を参照して説明する。
【００６０】
例えばメッセージ情報が「次は１階に止まります。」であった場合、そのメッセージ情報は、漢字3文字(次、階、止)、ひらがな(は、１、に、ま、り、ま、す)と数字７文字、記号１文字(。)で構成されている。
【００６１】
ここで、図５に示すように、メッセージ情報を表示する時間を決定するパラメータを設定するテーブルは、「ひらがな、数字」では表示時間が0.2秒、「漢字」では表示時間が0.4秒と設定されている。
【００６２】
このため、メッセージ情報表示時間は、３(文字/漢字１時当たり)×0.4秒＋７(文字/ひらがな、数字１字当たり)×0.2秒＝2.6秒となる。よって、2.6秒間表示することとなる。
【００６３】
情報合成装置２７内のオーバーレイボード４１(情報合成部)は、案内情報処理装置２４内のスキャンコンバータ３５aから出力されたNTSCコンポジット信号と合成処理PC４０から出力されたRGB信号およびNTSCコンポジット信号を合成する。このとき、合成方法としてスキャンコンバータ３５aから出力された画像の上に合成処理PC４０から出力された画像を重ねることとする。
【００６４】
ここで、オーバーレイボード上での画像合成の具体例について、図３を参照して説明する。
【００６５】
図３に示すように、予め出力する画像には透過色を設定しておき、透過色に設定されたエリアにスキャンコンバータ３５aからの映像が表示される。
【００６６】
最後に、オーバーレイボード４１から合成された画像がNTSCコンポジット信号として出力され、表示器２９により表示される。
【００６７】
このような本発明の実施例１によれば、選択部にて受信した案内情報データのデータ量により、案内情報データを分配して各処理装置に送信することにより、処理負荷を軽減し、案内情報のリアルタイム表示を実現することができる。
【００６８】
また、エレベータ状態信号を画像に変換する処理と圧縮された映像・音声・文字データを伸長する処理を別の処理装置にて行なうこととしたため、処理の集中による表示遅れを低減することができる。
【００６９】
さらに、文字情報を表示する場合に、文字情報の構成内容に合わせて表示時間を設定することなく、適当な時間、表示させることができる。
【実施例２】
【００７０】
本発明のエレベータ情報表示システムの実施例２について、図６と図７を参照して説明する。
【００７１】
図６は、本発明の実施例２に係る機器構成を示すブロック図、図７は、本発明の実施例２に係る詳細ブロック図である。
【００７２】
なお、以下の各実施の形態において、実施例１と同一構成要素には同一符号を付して詳しい説明は省略する。
【００７３】
まず、本発明の実施例２に係るエレベータ表示システムの全体構成とデータの流れについて、図６を参照して説明する。
【００７４】
図６に示すように、案内配信装置２１は、エレベータ監視室のように管理者や技術者が操作をできる場所に設置されていて、映像・音声・文字情報から成るデジタルデータを、案内情報用ネットワーク５１(案内情報ネットワーク部)に送信する。
【００７５】
案内情報用ネットワーク５１は、案内配信装置２１から送信された映像・音声・文字情報を受信し、機械室２２に設けられた中機器２３に送信する。
【００７６】
よって、中継器２３は、案内情報用ネットワーク５１に接続された案内配信装置２１以外の装置により送信されるデータについて受信可能となる。
【００７７】
中継器２３は、案内配信装置２１から案内情報ネットワーク５１を介して送信される案内情報データを受信し、データ量を検知するとともに、機械室２２に設けられた案内情報処理装置２４およびエレベータ情報用ネットワーク５２(エレベータ情報ネットワーク部)に案内情報データを送信する。
【００７８】
エレベータ情報用ネットワーク５２は、中継器２３にて送信された案情報データを受信し、エレベータ情報処理装置２５に送信する。
【００７９】
また、エレベータ情報用ネットワーク５２は、エレベータ制御装置２６から送信されるエレベータ状態信号を受信し、エレベータ情報処理装置２５に送信する。
【００８０】
よって、エレベータ情報処理装置２５は、エレベータ情報用ネットワーク５２から送信される案内情報データおよびエレベータ状態信号を受信することとなる。
【００８１】
また、エレベータ情報処理装置２５は、エレベータ情報用ネットワーク５２に接続された中継器２３とエレベータ制御装置２６以外の装置により送信されるデータについて、受信可能となる。
【００８２】
以上のように、本発明の実施例２に係るエレベータ表示システムは構成されている。
【００８３】
次に、本発明の実施例２に係るエレベータ表示システムの具体的な構成とデータの流れについて、図７を参照して説明する。
【００８４】
図７に示すように、案内配信PC３２は、ビデオ３１から出力された映像・音声信号を内蔵のビデオキャプチャボードにより取り込み、デジタルデータに変換する。
【００８５】
そして、デジタルデータに変換された映像・音声信号は、データ量を縮小するための圧縮処理を行なう。
【００８６】
ビデオ３１から入力した映像信号に文字を付加する場合は、案内配信PC３２のソフトにより文字情報を付加するように加工し、案内情報用ネットワーク５１へ送信する。
【００８７】
ここで、案内情報用ネットワーク５１は、汎用LANと同様に、イーサネット（登録商標）による100Mbpsの速度で伝送可能なネットワークとなっている。
【００８８】
また、案内配信PC３２から出力されるデータは、ネットワーク上のトラフィックを低減するため、TCP/IPによる１対１通信ではなく、UDP/IPによるマルチキャスト配信とする。このときの送信先IPアドレスは、224.0.0.0〜239.255.255.255のいずれかとする。
【００８９】
また、中継器２３は、案内配信PC３２にて送信された案内情報データについて、案内情報用ネットワーク５１を介して受信し、また、２つの伝送路に送信する選択PC３３により構成されている。
【００９０】
具体的には、選択PC３３は、案内配信PC３２にて送信された案内情報データのデータ量を検出し、案内情報処理装置２４及びエレベータ情報用ネットワーク５２に送信される。
【００９１】
さらに、信号変換装置３９は、エレベータの信号伝送で使用している独自の伝送方式を汎用ネットワーク方式であるイーサネット（登録商標）に変換し、エレベータ情報用ネットワーク５２上に送信することも行なう。
【００９２】
また、エレベータ情報用ネットワーク５２は、案内情報用ネットワーク５１と同様に、イーサネット（登録商標）による100Mbpsの速度で伝送可能なネットワークとなっている。
【００９３】
さらに、エレベータ制御盤３８から出力されるデータも、案内配信PC３２から出力されるデータと同様にマルチキャスト配信とすることで、エレベータ情報ネットワーク５２上にエレベータ情報を受信する端末が複数存在する場合に、ネットワークが混雑することを緩和する。
【００９４】
以上より、エレベータ情報処理PC３７は、エレベータ制御盤３８から送信されたエレベータ状態信号については、エレベータ情報用ネットワーク５２を介して受信可能なネットワークカードで受信し、エレベータ情報処理PC３７内に備えたエレベータ状態と表示内容の関係が記録されたテーブルから入力されたエレベータ状態信号に合った映像・画像・文字情報を、RGB信号に変換し、複数配置された合成処理PC４０に送信される。
【００９５】
また、エレベータ情報処理PC３７は、選択PC３３から送信された案内情報データについても、エレベータ情報用ネットワーク５２を介して受信可能であるネットワークカードおよびソフトウェアにて受信するとともに、伸長し、RGB信号として出力する。
【００９６】
このような本発明の実施例２によれば、選択部にて受信した案内情報データのデータ量により、案内情報データを分配して各処理装置に送信することにより、処理負荷を軽減し、案内情報のリアルタイム表示を実現することができる。
【００９７】
また、エレベータ状態信号を画像に変換する処理と圧縮された映像・音声・文字データを伸長する処理を別の処理装置にて行なうこととしたため、処理の集中による表示遅れを低減することができる。
【００９８】
さらに、文字情報を表示する場合に、文字情報の構成内容に合わせて表示時間を設定することなく、適当な時間、表示させることができる。
【００９９】
さらに、案内情報用ネットワーク及びエレベータ情報用ネットワークを設けることにより、案内情報データおよびエレベータ状態信号をさまざまな場所から送信可能とすることができる。
【実施例３】
【０１００】
本発明のエレベータ情報表示システムの実施例３について、図８を参照して説明する。
【０１０１】
図８は、本発明の実施例３に係る詳細ブロック図である。
【０１０２】
図８に示すように、映像・音声・文字から構成されている案内情報データは、ビル内ネットワーク６１(案内情報用ネットワーク部)内のビル内PC６２(案内情報ネットワーク部)からも送信することができる。
【０１０３】
このとき、案内情報ネットワーク５２とビル内ネットワーク６２との間には、ルータ６３(案内情報ネットワーク部)を設置されており、案内情報データを送信可能として設定されているPC以外からの案内情報データの通過を防止し、無駄なデータの流入を防いでいる。
【０１０４】
このような本発明の実施例３によれば、選択部にて受信した案内情報データのデータ量により、案内情報データを分配して各処理装置に送信することにより、処理負荷を軽減し、案内情報のリアルタイム表示を実現することができる。
【０１０５】
また、エレベータ状態信号を画像に変換する処理と圧縮された映像・音声・文字データを伸長する処理を別の処理装置にて行なうこととしたため、処理の集中による表示遅れを低減することができる。
【０１０６】
さらに、文字情報を表示する場合に、文字情報の構成内容に合わせて表示時間を設定することなく、適当な時間、表示させることができる。
【０１０７】
さらに、案内情報用ネットワークにビル内ネットワークを含めることで、監視室内のＰＣ以外の、ビル内ネットワーク内のＰＣから案内情報データを送信可能とすることができ、ビル内の固有情報を容易にかご内の表示器に表示可能となる。
【実施例４】
【０１０８】
本発明のエレベータ情報表示システムの実施例４について、図９を参照して説明する。
【０１０９】
図９は、本発明の実施例４に係る詳細ブロック図である。
【０１１０】
図９に示すように、映像・音声・文字より成る案内情報データは、外部ネットワーク７２(案内情報ネットワーク部)内の公衆回線７４(案内情報ネットワーク部)経由で、遠隔地の外部PC７５(案内情報ネットワーク部)からも送信することができる。
【０１１１】
ここで、公衆回線７４を挟むように、２つのモデム７３(案内情報ネットワーク部)が設置されている。
【０１１２】
また、外部ネットワーク７２と案内情報用ネットワーク５１との間には、ルータ７１(案内情報ネットワーク部)を設置し、案内情報データを送信可能として設定されているPC以外からの案内情報データの通過を防止し、無駄なデータの流入を防いでいる。
【０１１３】
このような本発明の実施例４によれば、選択部にて受信した案内情報データのデータ量により、案内情報データを分配して各処理装置に送信することにより、処理負荷を軽減し、案内情報のリアルタイム表示を実現することができる。
【０１１４】
また、エレベータ状態信号を画像に変換する処理と圧縮された映像・音声・文字データを伸長する処理を別の処理装置にて行なうこととしたため、処理の集中による表示遅れを低減することができる。
【０１１５】
さらに、文字情報を表示する場合に、文字情報の構成内容に合わせて表示時間を設定することなく、適当な時間、表示させることができる。
【０１１６】
さらに、案内情報用ネットワークに外部ネットワークを含めることで、監視室内のＰＣ以外の、外部ネットワーク内のＰＣから案内情報データを送信可能とすることができ、外部からの情報を容易にかご内の表示器に送信可能となる。
【図面の簡単な説明】
【０１１７】
【図１】本発明の実施例１に係る機器構成を示すブロック図。
【図２】本発明の実施例１に係る詳細ブロック図。
【図３】本発明の実施例１に係るオーバーレイボードの画像合成の説明図。
【図４】本発明の実施例１に係るエレベータ情報と表示内容の関係を表す説明図。
【図５】本発明の実施例１に係るメッセージの表示時間を決定するためのパラメータを表す説明図。
【図６】本発明の実施例２に係る機器構成を示すブロック図。
【図７】本発明の実施例２に係る詳細ブロック図。
【図８】本発明の実施例３に係る詳細ブロック図。
【図９】本発明の実施例４に係る詳細ブロック図。
【図１０】従来のエレベータ表示システム。
【符号の説明】
【０１１８】
１…映像信号源
２…伝送部a
３…グラフィック信号源
４…情報処理部
５…伝送部
６…映像処理部
７…エレベータ情報源
８…エレベータ情報処理部
９…合成部ｂ
１０…表示部
１１…エレベータ機械室
１２…エレベータかご
１３…エレベータの昇降路
１４…表示制御装置
２１…案内配信装置(案内情報発信部)
２２…エレベータ機械室
２３…中継器(選択部)
２４…案内情報処理装置(案内情報処理部)
２５…エレベータ情報処理装置(エレベータ情報処理部)
２６…エレベータ制御装置(エレベータ情報発信部)
２７…情報合成装置(情報合成部)
２８…エレベータかご
２９…表示器(表示部)
３１…ビデオ(案内情報発信部)
３２…案内発信PC(案内情報発信部)
３３…選択PC(選択部)
３４…案内情報処理PC(案内情報処理部)
３５a、３５b…スキャンコンバータ(案内情報処理部)
３６a、３６b…映像・音声分配器(案内情報処理部)
３７…エレベータ情報処理PC(エレベータ情報処理部)
３８…エレベータ制御盤(エレベータ情報発信部)
３９…信号変換器(エレベータ情報発信部)
４０…合成処理PC(情報合成部)
４１…オーバーレイボード(情報合成部)
５１…案内情報用ネットワーク(案内情報ネットワーク部)
５２…エレベータ情報用ネットワーク(エレベータ情報ネットワーク部)
６１…ビル内ネットワーク(案内情報ネットワーク部)
６２…ビル内PC(案内情報ネットワーク部)
６３…ルータ(案内情報ネットワーク部)
７１…ルータ(案内情報ネットワーク部)
７２…外部ネットワーク(案内情報ネットワーク部)
７３…モデム(案内情報ネットワーク部)
７４…公衆回線(案内情報ネットワーク部)
７５…外部PC(案内情報ネットワーク部)
【図１】
2006076740.tif 000003
【図２】
2006076740.tif 000004
【図３】
2006076740.tif 000005
【図４】
2006076740.tif 000006
【図５】
2006076740.tif 000007
【図６】
2006076740.tif 000008
【図７】
2006076740.tif 000009
【図８】
2006076740.tif 000010
【図９】
2006076740.tif 000011
【図１０】
2006076740.tif 000012